(57)【要約】【課題】  外出先からでも、システム内の機器の電源を切断し得る通信端末装置提供する。【解決手段】  ファクシミリ装置１０３において、着信でＤＴＭＦ検出か否か判定し（ステップＳＴ、ＳＴ２）、ＤＴＭＦを検出した場合に、送られた来た番号がＲＡＭ５のＰＣ登録テーブル５ａに登録されているパソコンの番号のいずれかと一致するか否か確認し（ステップＳＴ３）、番号が一致する場合には、その番号のパソコンの電源がＯＮしているか否か確認し（ステップＳＴ４、ＳＴ５）、電源のＯＮ／ＯＦＦ状態を発信元に返答し（ステップＳＴ６）電源がＯＮであれば、そのパソコンの電源をＯＦＦする（ステップＳＴ７、ＳＴ８）。【選択図】      図３
2005101689.tif 000002
【特許請求の範囲】
【請求項１】
公衆回線に接続される送受信部と、ネットワークを介して外部処理装置に接続するための入出力部と、前記接続される外部処理装置の番号を記憶する外部処理装置の番号記憶部と、公衆回線からの電話で、前記外部処理装置の電源を断する信号を出力する制御部とを備えたことを特徴とする通信端末装置。
【請求項２】
前記公衆回線からの電話に応答し、前記外部処理装置の電源の接／断を返答し得るようにしたことを特徴とする請求項１記載の通信端末装置。
【請求項３】
前記番号記憶部に、複数台の外部処理装置の番号を記憶しており、前記公衆回線からの電話内容により、個別の外部処理装置か、全ての外部処理装置の電源を断するかを選択することを特徴とする請求項１又は請求項２記載の通信端末装置。
【発明の詳細な説明】
【技術分野】
【０００１】
この発明は、ファクシミリ装置、ファクシミリ機能・複写機能等の多機能を有する複合機等の通信端末装置に関する。
【背景技術】
【０００２】
一般に、公衆電話回線に接続されるファクシミリ装置あるいは複合機が、ＬＡＮ（Ｌｏｃａｌ  ｅｒｅａ  ｎｅｔｗｏｒｋ）により、いくつかのパソコン（ＰＣ）、その他の機器と接続され、システムを構成するものが知られている（例えば、特許文献１参照）。
【特許文献１】特開平１０−９８７７６号公報
【発明の開示】
【発明が解決しようとする課題】
【０００３】
上記したシステムでは、ＬＡＮ内において、例えばあるパソコンから別のパソコンの電源を切るということは可能である。しかしながら、ＬＡＮ上の閉じた世界であるために、外出先からシステム内の電源を切断することができず、電源を切り忘れて外出した場合には、大変不便であるという問題があった。
【０００４】
この発明は上記問題点に着目してなされたものであって、外出先からでも、システム内の機器の電源を切断し得る通信端末装置を提供することを目的としている。
【課題を解決するための手段】
【０００５】
この発明の通信端末装置は、公衆回線に接続される送受信部と、ネットワークを介して外部処理装置に接続するための入出力部と、前記接続される外部処理装置の番号を記憶する外部処理装置の番号記憶部と、公衆回線からの電話で、前記外部処理装置の電源を断する信号を出力する制御部とを備えている。
【０００６】
この通信端末装置では、公衆回線を介して外部から予め記憶部に登録してある番号の電話があると、その登録してある番号に対応する外部処理装置（ＰＣ）に、電源断の指令を送り、外部処理装置の電源を切断することができる。
【０００７】
この発明の通信端末装置において、前記公衆回線からの電話に応答し、前記外部処理装置の電源の接／断を返答し得るようにすることもできる。
【０００８】
また、この発明の通信端末装置において、前記番号記憶部に、複数台の外部処理装置の番号を記憶しており、前記公衆回線からの電話内容により、個別の外部処理装置か、全ての外部処理装置の電源を断するかを選択し得るようにしても良い。
【発明の効果】
【０００９】
この発明によれば、公衆回線に接続される送受信部と、ネットワークを介して外部処理装置に接続するための入出力部と、前記接続される外部処理装置の番号を記憶する外部処理装置の番号記憶部と、公衆回線からの電話で、前記外部処理装置の電源を断する信号を出力する制御部とを備えているので、うっかりパソコンの電源を切らずに外出しても、外からパソコンの電源が切れるため、電気代の浪費を防ぎ、機器の安全性を確保できる。
【発明を実施するための最良の形態】
【００１０】
以下、実施の形態により、この発明を更に詳細に説明する。図１は、この発明が実施される通信システムの構成を示すブロック図である。このシステムでは、ファクシミリ装置１０３が、公衆電話回線網１０５に接続される一方、ＬＡＮ１０４を介してパソコン（ＰＣ）１０１、１０２等の他の外部処理装置に接続されている。通常、このシステムでは、ファクシミリ装置１０３で読み取り、あるいは受信した画像データをパソコン１０１、１０２等に転送したり、あるいはパソコン１０１、１０２からの要求により、画像データをプリントし、又はファクシミリ送信することができる。更に、ファクシミリ装置１０３は、公衆電話回線網１０５から電話を受信して、ファクシミリ装置１０３自身に予めあるパソコンの番号を登録してあるそのパソコンに、電源接続の指令を送り、そのパソコンの電源を切断させることができる。
【００１１】
上記ファクシミリ装置１０３は、コピー装置とファクシミリ装置を兼用する複合機として構成したものであり、概略構成を図２に示す。このカラー複合機は、ＩＴＵ−Ｔ勧告で規定されたファクシミリ通信手順に従って、カラー画像をファクシミリ通信する機能を備えている。
【００１２】
図２において、主制御部としてのＣＰＵ（中央処理装置）１は、当該装置を構成する各部を統括制御する機能を有する。
【００１３】
このＣＰＵ１には、ＮＣＵ（網制御回路：Network Control Unit）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Coder and Decoder ）１１、ＬＡＮ  Ｉ／Ｆ１２がバス１３を介して接続されている。
【００１４】
ＮＣＵ２は、ＣＰＵ１により制御されて、通信回線である電話回線網（ＰＳＴＮ）１０５との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１０５に送出するために、デジタル信号である送信データをアナログの音声信号に変調する機能を有する。また、ＭＯＤＥＭ３は、電話回線網１０５からＮＣＵ２を介して受信したアナログの音声信号をデジタル信号に復調する機能を有する。
【００１５】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。ＲＡＭ５には、ＰＣ登録テーブル５ａを備えている。このＰＣ登録テーブル５ａには、外部から電話がかかり、この電話を受けて、電源を断する複数のＰＣの番号が登録されている。画像メモリ６は、画像読み取り部９で読み取った画像データを圧縮状態で記憶する。さらに、画像メモリ６は、パーソナルコンピュータ等の外部装置からネットワーク（ＬＡＮ）を介して受信した画像データ又は記録メディアから読み込んだ画像データを圧縮状態（ＪＰＥＧ等）で記憶する。
【００１６】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。操作部８は、テンキーと、ワンタッチキーと、登録キーと、スタートキーと、動作モード切替キーとを有する。テンキーは、電話番号やＦＡＸ番号を入力するためのものである。ワンタッチキーは、相手先の電話番号やＦＡＸ番号をワンタッチで呼び出すためのものである。登録キーは、相手先の電話番号やＦＡＸ番号を短縮登録するためのものである。スタートキーは、ファクシミリ通信やコピー動作の開始を指示するためのものである。動作モード切替キーは、ＦＡＸモード・コピーモード・スキャナモード等の複数の動作モードについてのモード切り替えを行うためのものである。
【００１７】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。この画像記録部１０は、ＣＭＹＫ４色の記録剤（トナー）を使用するものであり、Ｋ（黒成分）のみの記録剤を用いたモノクロプリントに加えて、ＣＭＹＫ４色全ての記録剤を用いたカラープリントも可能である。
【００１８】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。更に、ＣＯＤＥＣ１１は、画像読み取り部９でカラー読み取りして得たカラー画像データをＪＰＥＧ方式により符号化し、ＪＰＥＧ方式により符号化された状態で受信したカラー画像データを、画像記録部１０により記録するために復号する。ＬＡＮ  Ｉ／Ｆ１２は、ＬＡＮ（ローカルエリアネットワーク）を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からコピーすべき画像データを受信することができる。
【００１９】
次に、このファクシミリ装置において、パソコンの電源断を行う場合の処理動作を図３に示すフロー図を参照して説明する。
【００２０】
この処理ルーチンに入ると、ステップＳＴ１において、先ず、着信処理を行う。続いて、ステップＳＴ２へ移行し、ＤＴＭＦを検出したか否かを判定する。ＤＴＭＦ（プッシュトーン）を検出しない場合は、リターンする。一方、ＤＴＭＦを検出した場合は、ステップＳＴ３へ移行する。このプッシュトーンには、個別のパソコンを示す番号と、全てのパソコンを意味する番号のいずれかが含まれている。
【００２１】
ステップＳＴ３においては、公衆電話回線１０５を通して送られて来た番号が、ＰＣテーブル５ａに記憶している電源ＯＦＦの番号の１つと一致しているか否か判定する。一致していなければ、リターンする。一方、番号が一致するものがあれば、ステップＳＴ４へ移行する。ステップＳＴ４において、その番号のパソコンが電源ＯＮしているか否かを問い合わせする信号を、そのＰＣに送信する。次に、ステップＳＴ５において、そのパソコンから電源ＯＮ／ＯＦＦ確認信号を受信する。次に、ステップＳＴ６において、電話回線網１０５より発信元電話器に対し、電源ＯＮ／ＯＦＦ状態を返答する。そして、ステップＳＴ７へ移行する。ステップＳＴ７においては、パソコンの電源がＯＮであるか否か判定し、電源ＯＮしていなければ、ＯＦＦするための指令を送る必要がないので、そのままリターンする。一方、その番号のパソコンが電源ＯＮしていれば、ステップＳＴ８へ移行する。ステップＳＴ８においては、電源ＯＦＦ指令を、その番号のパソコンに送る。そのパソコンは、電源ＯＦＦ指令を受けて、自身の電源をＯＦＦ（断）する。プッシュトーンに含まれる番号が、全てのパソコンを示すものである場合には、ここで全てのパソコンが電源を断することになる。
【図面の簡単な説明】
【００２２】
【図１】この発明が実施される通信システムの機器構成を示すブロック図である。
【図２】同通信システムのファクシミリ装置の構成を示すブロック図である。
【図３】同ファクシミリ装置において、外部処理装置の電源を断する場合の処理動作を説明するフロー図である。
【符号の説明】
【００２３】
１              主制御部（ＣＰＵ）
２              ＮＣＵ
３              ＭＯＤＥＭ
４              ＲＯＭ
５              ＲＡＭ
５ａ            ＰＣテーブル
６              画像メモリ
７              表示部
８              操作部
９              画像読み取り部
１０            画像記録部
１１            ＣＯＤＥＣ
１２            ＬＡＮ  Ｉ／Ｆ
１３            バス
１０１、１０２  パソコン
１０３          ファクシミリ
１０４          ＬＡＮ
１０５          電話回線網
【図１】
2005101689.tif 000003
【図２】
2005101689.tif 000004
【図３】
2005101689.tif 000005